(57)【要約】【課題】  ユーザが視聴したい番組を、各ユーザが視聴可能な全チャンネル分漏れなく確実に選択し易いテレビジョン受信装置を得る。【解決手段】  番組の一部を、複数のチャンネルを切り替えながら順次受信し記録する。この記録した番組に対応付けて記録時刻および記録日の情報を記録する。受信したＥＰＧの番組枠と、前記記録時刻および記録日の情報とから、ＥＰＧの番組枠に対して前記記録手段により記録された前記番組の一部を対応付けるマッピングする。このマッピングされた情報を元に、受信された番号と前記番組の一部との間で関連付けられたＥＰＧを生成し、ユーザが選択した番組に対応付けられた前記番組の一部を再生する。【選択図】      図３
2008278222.tif 000002
【特許請求の範囲】
【請求項１】
番組の一部を、複数のチャンネルを切り替えながら順次受信し記録する番組記録手段と、
前記記録した番組に対応付けて記録時刻および記録日の情報を記録する番組関連情報記録手段と、
ＥＰＧ情報を受信するＥＰＧ受信手段と、
前記ＥＰＧ受信手段により受信したＥＰＧの番組枠と、前記記録時刻および記録日の情報とから、ＥＰＧの番組枠に対して前記記録手段により記録された前記番組の一部を対応付けるマッピング手段と、
前記マッピングされた情報を元に、受信された番号と前記番組の一部との間で関連付けられたＥＰＧを生成するＥＰＧ生成手段と、
前記ＥＰＧ生成手段により生成されたＥＰＧに対して、ユーザが選択した番組に対応付けられた前記番組の一部を再生する再生手段とを備えたことを特徴とするテレビジョン受信装置。
【請求項２】
前記番組記録手段は、ユーザの視聴および記録可能な番組に対して、前記番組の一部を記録することを特徴とする請求項１記載のテレビジョン受信装置。
【請求項３】
前記記録日の情報は、曜日の情報であり、
前記放送された番組の一部は所定期間経過後、自動的に削除する自動削除手段を備えたことを特徴とする請求項１または請求項２記載のテレビジョン受信装置。
【請求項４】
前記番組記録手段は、特定のジャンルの番組に対して、前記番組の一部を記録することを特徴とする請求項１乃至請求項３のいずれか１項に記載のテレビジョン受信装置。
【請求項５】
前記番組記録手段は、前記番組の一部を記録するとき、この記録の長さは番組の長さに対応した長さとすることを特徴とする請求項１乃至請求項３のいずれか１項に記載のテレビジョン受信装置。
【発明の詳細な説明】
【技術分野】
【０００１】
この発明は、テレビジョン受信装置に関し、特に記録再生機能をもったテレビジョン受信装置に関する。
【背景技術】
【０００２】
従来のサーバーから送信されるダイジェスト情報を再生するテレビジョン受信装置が知られている（例えば、特許文献１参照）。
しかし、特許文献１では、サーバーから送信されるダイジェスト情報に依存しており、このようなサーバーを設置しなければならないが現状（将来見込みも）これがなく成立しないという問題がある。
【０００３】
また、複数チューナを備え、全チャンネルを受信可能なチューナを有するテレビジョン受信装置が知られている（例えば、特許文献２参照）。
しかし、特許文献２では、所在の保証のない次回予告内容を期待し、推測に基づいており確実性がないという問題がある。また、番組終了時は各ＣＨで重複するので同時に多くのチューナが必要となってしまうという問題がある。
【特許文献１】特開２００５−１８４４７３号公報
【特許文献２】特開２００５−１５９７７０号公報
【発明の開示】
【発明が解決しようとする課題】
【０００４】
従来のテレビジョン受信装置においては、全チャンネル分のチューナを備えたり、サーバーから送信されるダイジェスト情報に依存することでしか、ユーザが視聴（ここで視聴とは、少なくとも予約録画視聴、予約視聴、録画視聴など、ＥＰＧ経由の全ての視聴を含む）したい番組を、各ユーザが視聴可能な全チャンネル分漏れなく確実に選択し易いテレビジョン受信装置が得られないという問題があった。
【０００５】
この発明は、送信側に全く依存せず、サーバーから別途ダイジェスト情報（映像、メタデータ）等を受信する必要のないテレビジョン受信装置を提供することを目的とする。
【課題を解決するための手段】
【０００６】
上記の目的を達成するために、この発明においては、ユーザの視聴および記録可能な番組の一部を、複数のチャンネルを切り替えながら順次受信し記録する番組記録手段と、前記記録した番組に対応付けて記録時刻および記録日の情報を記録する番組関連情報記録手段と、ＥＰＧ情報を受信するＥＰＧ受信手段と、前記ＥＰＧ受信手段により受信したＥＰＧの番組枠と、前記記録時刻および記録日の情報とから、ＥＰＧの番組枠に対して前記記録手段により記録された前記番組の一部を対応付けるマッピング手段と、前記マッピングされた情報を元に、受信された番号と前記番組の一部との間で関連付けられたＥＰＧを生成するＥＰＧ生成手段と、前記ＥＰＧ生成手段により生成されたＥＰＧに対して、ユーザが選択した番組に対応付けられた前記番組の一部を再生する再生手段とを備えたことを特徴とするテレビジョン受信装置を提供する。
【０００７】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００８】
この発明によれば、全チャンネル分のチューナを備えたりせず、更にサーバーから送信されるダイジェスト情報に依存しなくとも、ユーザが視聴したい番組を、各ユーザが視聴可能な全チャンネル分漏れなく確実に選択し易いテレビジョン受信装置を提供することができる。
【発明を実施するための最良の形態】
【０００９】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１０】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１７】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２０】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２７】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３１】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３２】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３３】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３４】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３５】
また、字幕放送による字幕を表示するとき、グラフィック処理部２５４は、制御部２６１からの制御による字幕情報に基づき、映像信号上に字幕情報を重畳する処理を行う。
【００３６】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３７】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３８】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３９】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４０】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４１】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４２】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４３】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４４】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４５】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４６】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４７】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００４８】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００４９】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５０】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５１】
図３は、各番組の一部を所定の時間分蓄積するときの録画方法と、この各番組を所定の時間分蓄積した番組をＥＰＧとからめて表示するときの表示形態を説明するための図である。
【００５２】
なお、図１では地上デジタル放送用のチューナ２５０ａ，衛星デジタル放送用のチューナ２４５ａは、それぞれ１系統の図を用いて説明したが、実際にはそれぞれ２系統有しているものとする。
【００５３】
デジタルテレビジョン放送受信装置１１１は、ＥＰＧデータをＨＤＤ１２５に記録すると共に、各番組の一部を所定の時間分（例えば、１分間）ＨＤＤ１２５に記録する。なお、HDD１２５ではなく不揮発性メモリ２６１ｃに記憶するようにしてもよい。
【００５４】
このＥＰＧデータと番組の一部の記録とは、例えば過去１週間分のみ蓄積し、それよりも古いデータを自動的に削除するようにする。こうすることによりデータが際限なく増加することを抑えることができる。
【００５５】
このダイジェスト録画は、１つのチューナを用いて時分割に順次チャンネル切り替えし記録する。
ダイジェスト録画の録画方法としては、例えば第１チャンネルから第ｎチャンネルまで、順次切り替えながらチャンネル毎に１分間記録していく。これを１０分が経過する毎に繰り返すようにしても良い。このように１０分が経過する毎に繰り返すことにより、定期的な間隔で番組の一部をサンプリングすることができる。
【００５６】
（ＨＤＤへの番組の記録）
まず、図３（ａ）を用いて、デジタルテレビジョン放送受信装置１１１が各番組を所定の時間分蓄積するときの動作について説明する。
デジタルテレビジョン放送受信装置１１１は、ＥＰＧ情報から得られた各番組の開始時刻と終了時刻の情報に注意しながら、ユーザが現在未使用の方のチューナを使用して、全チャンネルに対して時分割にて各番組を所定の時間分（例えば、１分間）録画する。
【００５７】
このとき全チャンネルとしては、無料放送による番組や契約しており視聴および一時的にでも記録可能な番組のみを対象とすると良い。こうすることにより視聴できないダイジェスト動画の記録を防ぐことができたり、或いは記録できない番組については処理しないで済むという効果を得ることができる。
【００５８】
ここでは、図２（ａ）の時間軸の開始時点では、番組Ａ，Ｄ，Ｆ，Ｉの３番組が放送されているが、番組Ｆの終了時刻が他より早いため、順番を優先するなど、録画し損ねないようにする。
【００５９】
また、可能ならば、なるべく各番組の終了間近の所定の部分（例えば番組の終了際５分）を記録しておけば、特にドラマ等では次回予告映像などが含まれることが大いに期待できる。
【００６０】
しかし、必ずしも次回予告映像を記録できるかについては確実性があるものではない。また一般に時刻の区切りが各番組の終了時刻と重なっていることも多く、同時録画できるチューナの数が同時に放送されている番組数よりも少ない場合には全ての視聴可能な番組について同時に記録することはできないので、ユーザに確実性のある機能として次回予告映像を記録する機能を提示するのは動作品質上の問題がある。
【００６１】
以上のようにしながら、図４に示す通り、１日の放送開始の時刻から１日の放送終了時刻の間、番組名、チャンネル番号、放送日時の情報を対応付けしながら、ユーザが視聴可能な全チャンネル分の所定の部分をＨＤＤ１２５に記録していくことで、過去１週間分の番組について、番組の一部がＨＤＤ１２５に蓄積される。
【００６２】
なお、図４右側に示した番組の一部を記録したデータと対応付けて記録する情報については、HDD１２５に蓄積しても良いし、不揮発性メモリ２６１ｃに蓄積するようにしても良い。
【００６３】
所定部分の蓄積量：即ち各番組に対する録画時間については、ＨＤＤの残容量，時分割すべきチャンネル数，各番組への嗜好情報，番組のジャンル，ユーザの嗜好，番組の放送時間帯等により、適宜調節することが可能である。例えば、所定部分の蓄積量は、図３に示すように番組の長さに応じた長さとしても良い。更には図３の番組Ｅに示すように長い番組であればあるほど、複数箇所から抽出した方が、後から視聴したときに番組全体像を把握することができる。
【００６４】
（ＥＰＧ画面からのＨＤＤに記録した番組の再生）
次に、図３（ｃ）および（ｄ）を用いて、ユーザがＥＰＧ上から番組を選択し、蓄積された番組の所定部分を再生提示するときの動作を説明する。
ユーザがまずＥＰＧを表示させる。このＥＰＧの表示方法については周知の方法によりＥＰＧを表示させれば良い。
但し、本発明ではＥＰＧの各番組に対応付けて、先週以前の同一時刻帯に蓄積された番組の所定の部分の記録データと対応（マッピング）付けられた情報を保持している点が新しい。このようにしておくことにより、選択番組についてマッピング付けられたリンク情報をもとに、先週以前の同一時刻帯に蓄積された番組の所定の部分を再生することができる。
【００６５】
図３（ｃ）は、番組選択のためにＥＰＧ画面を表示一覧しているとき、例えば、番組Ｅを選択した状態を示している。図３（ｃ）において番組Ｅが太枠となっているのは、番組Ｅが選択されていることを示している。
【００６６】
このとき例えばリモートコントローラ１１７の図示しない“詳細表示ボタン”を押下すると、図３（ｃ）で選択されていた番組Ｅの詳細情報が図３（ｄ）に示すように映像表示器１１４に表示される。
【００６７】
制御部２６１ｃは、図３（ｄ）の詳細情報画面では、周辺部に、現在選択されている番組Ｅに関する詳細解説画面が表示されると共に、１週間前に蓄積された番組の所定部分を再生提示するよう制御する。
【００６８】
図３（ｄ）の例では画面内の例えば図示したような一部分に、先週以前の同一時刻帯に蓄積された番組の所定の部分を再生表示した例を示している。
このようにすることで、ユーザはＥＰＧ選択画面から再生された１週間前の再生番組を参考に、嗜好の番組であるかどうかを自分自身の判断でより容易に予測することができる。ここで予測と言っているのは、再生番組は、現在または将来再生される番組とは同一ではないからである。予測ととはなってしまうが、番組の雰囲気等の好みに関しては嗜好とあったものなのかを判断することはできる。
【００６９】
以上説明したとおり、本発明によれば、ユーザが未使用中の少なくとも１つ以上の空きチューナで、特に、ユーザの選択可能な全てのチャンネル数より、空きチューナの数が少ない場合、当該空きチューナで、ユーザの選択可能な全てのチャンネルを、所定の配分で時分割して、番組単位で、所定部分を録画蓄積し、同一曜日、同一時間のＥＰＧの番組枠に対応づけ（マッピング）を行う手段を備え、ＥＰＧ上のある番組を選択時に、対応づけられた所定部分を再生提示する。
【００７０】
これにより、ユーザは、今後のこの放映時間枠の番組が視聴したいものなのかどうかの判断情報にすることができ、より嗜好の番組を選択することが出来る。
（変形例１）
なお、上記実施形態では、ユーザが視聴可能な全チャンネル（番組）としたが、特定の番組のジャンル、例えばドラマについてのみ、先週の番組の一部を記録しておき、ＥＰＧから辿って再生することができるようにしても良い。このようにすることで、ＨＤＤの容量を抑えることが出来る。
【００７１】
（変形例２）
上記実施の形態では、リモートコントローラ１１７の図示しない“詳細表示ボタン”を押下すると、図３（ｃ）で選択されていた番組Ｅの詳細情報の一部として、蓄積された番組の所定部分が図３（ｄ）に示すように映像表示器１１４に表示されるとして説明した。
【００７２】
この変形例２では、これに変え図５に示す通り、ＥＰＧ画面上の各番組のセル上に重ねて、１週間前に蓄積された番組の所定部分を再生するようにしてもよい。このようにするといちいち“詳細表示ボタン”を押さずとも蓄積された番組の所定部分を視聴することができる。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７４】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】各番組の一部を所定の時間分蓄積するときの録画方法と、この各番組を所定の時間分蓄積した番組をＥＰＧとからめて表示するときの表示形態を説明するための図である。
【図４】ＨＤＤ１２５に記録するデータを示す図。
【図５】各番組の一部を所定の時間分蓄積するときの録画方法と、この各番組を所定の時間分蓄積した番組をＥＰＧとからめて表示するときの表示形態を説明するための図である。
【符号の説明】
【００７５】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008278222.tif 000003
【図２】
2008278222.tif 000004
【図３】
2008278222.tif 000005
【図４】
2008278222.tif 000006
【図５】
2008278222.tif 000007